(57)【要約】      （修正有）【課題】従来のコネクタにおける欠点を解決したブレード型防水コネクタを提供する。【解決手段】ブレード型防水コネクタは第一連接部材１０の第一端子１１と第二連接部材２０の第二端子２２が互いに電気的に接続される。第二連接部材は他端に底ベース２３が形成され、底ベースにフレーム２４が突設され、且つフレームによって収容空間２４１が囲まれる。フレームは両相対する部分に対称的にロック溝２４２がそれぞれ設けられ、また第二端子が収容空間に向かってピン２２１が突設される。収容空間に蓋板２５が入れられ、また蓋板の両端にそれぞれロック溝に合致するロックブロック２５１が突設される。蓋板の外周縁内に第一充填溝２５２が凹んで形成され、且つ第一充填溝はホットメルト接着剤層２６によって隙間が封じられ、同時に該ホットメルト接着剤層は該ピンの周囲を封じる。これによって、組み立てやすく有効的に防水できる効果を奏する。【選択図】図２
2019212597.tif 000002
【特許請求の範囲】
【請求項１】
第一連接部材と、第二連接部材とを含むブレード型防水コネクタであって、
前記第一連接部材には、複数の第一端子が設けられ、  
前記第二連接部材には、一端に連接ベースが形成され、前記連接ベースに複数のL字型溝が直角状に設けられ、前記L字型溝内にそれぞれ第二端子が固定され、前記第一端子と該第二端子が互いに接続することで前記第一連接部材と前記第二連接部材が電気的に接続され、また前記第二連接部材は他端に底ベースが形成され、前記底ベースが前記連接ベースに向かう一面に接続表面が形成され、前記底ベースは前記接続表面と反対する一面に組み立て表面が形成され、前記組み立て表面にフレームが突設され、さらに前記フレームが囲むことによって前記L字型溝に連なる収容空間が形成され、前記フレームは両相対する部分に対称的にロック溝がそれぞれ設けられ、前記第二端子が前記収容空間に向かってピンが突設され、また前記ピンが前記フレームに当てて伸び、前記底ベースより突き出し、前記第二連接部材は前記収容空間に蓋板が入れられ、前記蓋板の両端にそれぞれロックブロックが突設され、且つ前記ロックブロックによって前記ロック溝に合致され、前記ピンを前記フレームと前記蓋板の間に挟んで設けられ、前記蓋板の外周縁内に第一充填溝が凹んで形成され、また前記第一充填溝はホットメルト接着剤層によって隙間が封じられ、同時に前記ホットメルト接着剤層は前記ピンの周囲を封じることを特徴とするブレード型防水コネクタ。
【請求項２】
前記第二連接部材のフレーム内縁に第二充填溝が凹設され、且つ前記第二充填溝は前記第一充填溝に合わせて前記ピンを囲むことで、前記ホットメルト接着剤層は前記ピンの周囲に前記第一充填溝と前記第二充填溝の底の深さと同じ厚みに封じることを特徴とする請求項１のブレード型防水コネクタ。
【請求項３】
前記第二連接部材は、前記ピンの間に位置限定切り込みがそれぞれ凹設され、且つ前記蓋板の縁に複数の押さえブロックが突設され、前記第一充填溝が前記押さえブロックの周縁を跨いで設けられ、前記押さえブロックは全部の限定切り込みに合わせて設けられるため、前記ピンを前記押さえブロックの間に挟んで設けられ、即ち前記ピンが前記蓋板を封じる前記ホットメルト接着剤層の同じ表面に穿設されることを特徴とする請求項１または２のブレード型防水コネクタ。
【請求項４】
前記連接ベースは、前記L字型溝の間にそれぞれ仕切り板が仕切られ、且つ前記仕切り板は、前記収容空間に伸び、底辺部が形成され、前記蓋板は前記収容空間に向かう一面に収容溝が凹設され、且つ前記収容溝が前記押さえブロックまで伸び、前記収容溝に防水パッドが設置されることにより、前記防水パッドが前記仕切り板の前記底辺部に押さえられ、前記防水パッドが前記ピンを囲むことを特徴とする請求項３のブレード型防水コネクタ。
【請求項５】
前記底ベースの前記組み立て表面に二つのブロック体が突設され、且つ前記ブロック体が前記フレームと連接して前記フレーム構造の補強になると同時に、凹むように前記ロック溝が形成され、前記ロック溝が前記フレームに貫通しないようにすることを特徴とする請求項１のブレード型防水コネクタ。
【請求項６】
前記底ベースに二つのめねじスリーブが設けられ、且つ前記めねじスリーブの一端が前記底ベースの接続表面に設けられ、前記めねじスリーブの他端は前記ブロック体の内部に延伸されるため、前記ブロック体は前記めねじスリーブと前記底ベースと安定に結合されることを特徴とする請求項５のブレード型防水コネクタ。
【請求項７】
前記第一連接部材に密封部材が結合され、前記密封部材に複数の穿孔が設けられ、前記穿孔より前記第一端子の穿設が提供され、さらに前記密封部材は直角状でサイドブロックが形成され、前記第一端子と前記第二端子が互いに接続する時、前記密封部材は前記サイドブロックに合わせて前記L字型溝に押さえられることを特徴とする請求項１のブレード型防水コネクタ。
【請求項８】
前記第二連接部材は前記連接ベースにパッドが設けられ、且つ前記パッドは前記底ベースの接続表面に押さえられるため、前記第二連接部材の底ベースは外に向かって取り付ける時に前記パッドが挟まれて、防水効果が形成されることを特徴とする請求項１のブレード型防水コネクタ。
【請求項９】
前記底ベースは前記接続表面にリング溝が凹設され、前記パッドの内縁に突起リングが突設され、且つ前記突起リングが前記リング溝内に収容され、前記パッドは前記突起リングの反対側に押さえリングが突設され、外に向かって取り付ける時は前記押さえリングを押さえられるため、前記突起リングが拡張されて前記リング溝にしっかり接近することを特徴とする請求項８のブレード型防水コネクタ。
【請求項１０】
前記第二端子にはフレームが形成され、前記第二端子は前記フレームによって前記L字型溝に固定され、且つ前記第二端子は前記フレームより内側に向かって対称する二つのクリップ片が曲げて設けられ、前記クリップ片は前記フレームに連接して固定する一端は前記L字型溝の開口に近い場所に位置し、前記クリップ片の自由な一端は前記収容空間の近くに位置することによって、両クリップ片が前記第一端子の根元をしっかり挟めることを特徴とする請求項１のブレード型防水コネクタ。
【発明の詳細な説明】
【技術分野】
【０００１】
本発明は回路用コネクタに関し、特に組み立てやすく有効に防水できるブレード型防水コネクタに関する。
【背景技術】
【０００２】
各種の電子装置は電源または信号など各種の回路に連接する必要がある時、よく見られるのは、電線の両端にプラスコネクタとマイナスコネクタがそれぞれ固定され、さらにプラスコネクタとマイナスコネクタを速やかに接続して電気接続が形成される構造である。しかし、該コネクタは回路全体において水に浸かったり、湿気たりして故障しやすい部分であり、更にたくさんの電子装置は室外、湿気または気温変化が大きい環境の中で使用され、さらに稼働状態にある電子装置であるため、このタイプのコネクタは防水機能に対する要求が非常に高く、電気接続の安定性も主な要求の一つでもある。たくさんの業者が防水性機能を備えたコネクタを開発し、該防水コネクタの多くでは外カバーと外蓋の連接部分にパッドまたは緩衝リングが取り付けられる。これによって該連接部分にできた隙間が遮断され、コネクタの外部と内部に基本的な遮断防水効果が形成される。上述のような従来構造をよく見ると不足する部分がまだ存在しており、主な原因は以下のようである。該パッドまたは緩衝リングはそれぞれ該コネクタの内部に先に入れられ、そして外蓋が
錠前セット方式で該外カバーに取り付けられることによって、該外蓋が該外カバーに合わせて該パッドまたは緩衝リングをしっかり挟むようになる。しかし、該外蓋を閉めて設ける時はよく作用点と非作用点が生まれる圧縮力が異なるため、該パッドまたは該緩衝リングは平らに該コネクタ内に挟んで設けられるわけではない。平坦ではないために生じた隙間は該コネクタの防水効果を低下させる。さらに、組み立てた後にテストを経て該コネクタに要求される防水性が合格しても、該パッドまたは緩衝リングは長時間の使用後または熱膨張と冷収縮の時において、弾性疲労または収縮などの原因によって該パッドまたは緩衝リングの防水機能を失わせてしまう可能性がある。同時に該組立方式の手順が多く、組み立てる時は相対する位置が固定しにくいため、不良率が上昇することと防水性を低下させることがあり、従来のコネクタには長い間組み立てにくく防水効果が不足するという技術問題点が存在する。
【０００３】
従って、本発明者は長年にわたって関連商品の製造開発と設計経験により、上述の目標について、詳しい設計と慎重な評価を行った結果、実用性に満ちた本発明を得た。
【発明の概要】
【発明が解決しようとする課題】
【０００４】
本発明が解決しようとする課題は、従来技術に存在する上述の欠点について解決した、ブレード型防水コネクタを提供する。
【課題を解決するための手段】
【０００５】
ブレード型防水コネクタは、第一連接部材に複数の第一端子が設けられ、第二連接部材の一端に連接ベースが形成され、且つ該連接ベースに複数のL字型溝が直角状に設けられる。該L字型溝内にそれぞれ第二端子が固定され、該第一端子と該第二端子が互いに接続することで該第一連接部材と該第二連接部材が電気的に接続される。該第二連接部材は他端に底ベースが形成され、該底ベースが該連接ベースに向かう一面に接続表面が形成される。該底ベースには該接続表面と反対する一面に組み立て表面が形成され、該組み立て表面にフレームが突設され、さらに該フレームが囲むことによって該L字型溝に連なる収容空間が形成される。該フレームは両相対する部分に対称的にロック溝がそれぞれ設けられ、該第二端子が該収容空間に向かってピンが突設される。該ピンが該フレームに当てられて伸び、該底ベースより突き出し、また該第二連接部材は該収容空間に蓋板が入れられ、且つ該蓋板の両端にそれぞれロックブロックが突設される。そして該ロックブロックによって該ロック溝に合致され、該ピンを該フレームと該蓋板の間に挟んで設けられる。該蓋板の外周縁内に第一充填溝が凹んで形成され、該第一充填溝はホットメルト接着剤層によって隙間が封じられ、同時に該ホットメルト接着剤層は該ピンの周囲を封じる。
【０００６】
該第二連接部材のフレーム内縁に第二充填溝が凹設され、また該第二充填溝は該第一充填溝に合わせて該ピンを囲むことで、該ホットメルト接着剤層は該ピンの周囲を該第一充填溝と該第二充填溝の底の深さと同じ厚みで封じる。
【０００７】
該第二連接部材はこれらピンの間に位置限定切り込みがそれぞれ凹設され、また該蓋板の縁に複数の押さえブロックが突設される。該第一充填溝が該押さえブロックの周縁を跨いで設けられ、また該押さえブロックは全部の限定切り込みに合わせて設けられるため、該ピンを該押さえブロックの間に挟んで設けられ、即ち該ピンが該蓋板を封じる該ホットメルト接着剤層の同じ表面に穿設される。
【０００８】
該連接ベースは該L字型溝の間にそれぞれ仕切り板が仕切られ、また該仕切り板は該収容空間に伸び、底辺部が形成される。該蓋板には該収容空間に向かう一面に収容溝が凹設され、また該収容溝が該押さえブロックまで伸びる。該収容溝に防水パッドが設置され、該防水パッドが該仕切り板の該底辺部に押さえられるようにし、該防水パッドによって該ピンを囲む。
【０００９】
該底ベースの該組み立て表面に二つのブロック体が突設され、また該ブロック体が該フレームと連接して該フレーム構造の補強になると同時に、該ロック溝は凹むように設けられており、該ロック溝が該フレームに貫通しないようにする。
【００１０】
該底ベースに二つのめねじスリーブが設けられ、また該めねじスリーブの一端が該底ベースの接続表面に設けられる。該めねじスリーブの他端は該ブロック体の内部に延伸されるため、該ブロック体は該めねじスリーブと該底ベースと安定に結合される。
【００１１】
該第一連接部材に密封部材が結合され、該密封部材に複数の穿孔が設けられ、また該穿孔より該第一端子の穿設が提供され、さらに該密封部材は直角状でサイドブロックが形成される。また該第一端子と該第二端子が互いに接続する時、該密封部材は該サイドブロックに合わせて該L字型溝に押さえられる。
【００１２】
該第二連接部材は該連接ベースにパッドが設けられ、また該パッドは該底ベースの接続表面に押さえられるため、該第二連接部材の底ベースは外に向かって取り付ける時に該パッドが挟まれて、防水効果が形成される。
【００１３】
該底ベースは該接続表面にリング溝が凹設され、該パッドの内縁に突起リングが突設される。また該突起リングが該リング溝内に収容され、該パッドは該突起リングの反対側に押さえリングが突設される。外に向かって取り付ける時は該押さえリングを押さえられるため、該突起リングが拡張されて該リング溝にしっかり接近する。
【００１４】
該第二端子はフレームが形成され、該第二端子は該フレームによって該L字型溝に固定される。また該第二端子は該フレームより内側に向かって対称する二つのクリップ片が曲げて設けられる。該クリップ片は該フレームに連接して固定する一端は該L字型溝の開口に近い場所に位置する。該クリップ片の自由な一端は該収容空間の近くに位置する。これによって、両クリップ片が該第一端子の根元をしっかり挟める。
【００１５】
本発明の第一の主な目的は、該蓋板のロックブロックが該フレームのロック溝に合致することで、該ロックブロックとロック溝が互いに合致することによって、該フレームと該蓋板の相対する位置を固定する。これによって、組み立てる時にカバー効果を安定させ、該液体のホットメルト接着剤層は該フレームと該蓋板の間に沿って第一充填溝を充填でき、そして該フレームと該蓋板の間の隙間を充填する。同時に該ホットメルト接着剤層が該ピンの周囲を封じ、該ホットメルト接着剤層は一回の加工で該ピンを封じられるため、加工手順を簡単化でき、封じやすくそして有効に防水の実用機能に達する。
【００１６】
本発明の第二の主な目的は、該底ベースに突設された該ブロック体は該フレームと連接するために構造の補強を向上できると同時に、凹むように該ロック溝が形成されやすいことで、該ロック溝は該フレームの厚みに影響されないため、該ロック溝は該フレームを貫通することなく、該ロック溝はほかに密封する必要がなくても防水効果を奏する。また該ブロック体は該ロック溝と該めねじスリーブの使用を同時に提供でき、構造上における実質的なブレークスルーを果たせる。
【図面の簡単な説明】
【００１７】
【図１】図１は、本発明に係るブレード型防水コネクタを示す立体図である。
【図２】図２は、本発明に係るブレード型防水コネクタを示す立体分解図（一）である。
【図３】図３は、本発明に係るブレード型防水コネクタを示す立体分解図（二）である。
【図４】図４は、本発明の第二連接部材の立体断面図である。
【図５】図５は、本発明がホットメルト接着剤層を封じる前を示す図である。
【図６】図６は、本発明がホットメルト接着剤層を封じる後を示す図である。
【図７】図７は、本発明がホットメルト接着剤層を封じる前を示す断面図である。
【図８】図８は、本発明の使用状態を示す図（一）である。
【図９】図９は、本発明の使用状態を示す図（二）である。
【図１０】図１０は、本発明のもう一つの実施例の立体分解図である。
【図１１】図１１は、本発明のもう一つの実施例の断面図である。
【発明を実施するための形態】
【００１８】
まず、図１から図４を参照されたい。本発明のブレード型防水コネクタは、第一連接部材１０と第二連接部材２０とを含む。第一連接部材１０に複数の第一端子１１が設けられ、該第一連接部材１０に密封部材１２が結合され、該密封部材１２に複数の穿孔１２１が設けられ、また該穿孔１２１より該第一端子１１の穿設が提供され、さらに該密封部材１２は直角状でサイドブロック１２２が形成される。第二連接部材２０の一端に連接ベース２１が形成され、また該連接ベース２１に複数のL字型溝２１１が直角状に設けられる。該L字型溝２１１内にそれぞれ第二端子２２が固定され、該第一端子１１と該第二端子２２が互いに接続することで該第一連接部材１０と該第二連接部材２０が電気的に接続される。また該第一端子１１と該第二端子２２が互いに接続する時、該密封部材１２は該サイドブロック１２２に合わせて該L字型溝２１１に押さえられる。
【００１９】
また該第二連接部材２０は他端に底ベース２３が形成され、該底ベース２３が該連接ベース２１に向かう一面に接続表面２３１が形成される。該底ベース２３は該接続表面２３１と反対する一面に組み立て表面２３２が形成され、また該第二連接部材２０の組み立て表面２３２にフレーム２４が突設され、さらに該フレーム２４が囲むことによって該L字型溝２１１に連なる収容空間２４１が形成される。該フレーム２４は両相対する部分に対称的にロック溝２４２がそれぞれ設けられ、該底ベース２３の該組み立て表面２３２に二つのブロック体２３３が突設され、また該ブロック体２３３が該フレーム２４と連接して該フレーム２４構造の補強になると同時に、凹むように該ロック溝２４２が形成されやすいことで、該ロック溝２４２が十分な強度により該フレーム２４に貫通しないようにし、さらに該ロック溝２４２の防水効果を提供できる。該底ベース２３に二つのめねじスリーブ２３４が設けられ、また該めねじスリーブ２３４の一端が該底ベース２３の接続表面２３１に設けられる。該めねじスリーブ２３４の他端は該ブロック体２３３の内部に延伸されるため、該ブロック体２３３は該めねじスリーブ２３４と該底ベース２３と安定に結合され、即ち該ブロック体２３３は該ロック溝２４２と該めねじスリーブ２３４の使用を同時に提供される。また該第二端子２２が該収容空間２４１に向かってピン２２１が突設される。また該ピン２２１が該フレーム２４に当てて伸び、該底ベース２３より突き出し、また該第二連接部材２０は該収容空間２４１に蓋板２５が入れられ、また該蓋板２５の両端にそれぞれロックブロック２５１が突設される。そして該ロックブロック２５１によって該ロック溝２４２に合致され、該ピン２２１を該フレーム２４と該蓋板２５の間に挟んで設けられる。また該蓋板２５の外周縁内に第一充填溝２５２が凹んで形成され、また該第一充填溝２５２はホットメルト接着剤層２６によって隙間が封じられ、同時に該ホットメルト接着剤層２６は該ピン２２１の周囲を封じる。また該第二連接部材２０のフレーム２４内縁に第二充填溝２４３が凹設され、また該第二充填溝２４３は該第一充填溝２５２に合わせて該ピン２２１を囲むことで、該ホットメルト接着剤層２６は該ピン２２１周囲に該第一充填溝２５２と該第二充填溝２４３の底の深さと同じ厚みに封じる。該第二端子２２はフレーム２２２が形成され、該第二端子２２は該フレーム２２２によって該L字型溝２１１に固定される。また該第二端子２２は該フレーム２２２より内側に向かって対称する二つのクリップ片２２３が曲げて設けられる。該クリップ片２２３は該フレーム２２２に連接して固定する一端は該L字型溝２１１の開口に近い場所に位置する。該クリップ片２２３の自由な一端は該収容空間２４１の近くに位置する。これによって、両クリップ片２２３が該第一端子１１の根元をしっかり挟めるため、該第一端子１１と該第二端子２２が勝手に外れにくい効果がある。
【００２０】
その構造の組み立ては図２から図７を参照されたい。該第二端子２２は該収容空間２４１端よりそれぞれ該第二連接部材２０に入れられるため、該第二端子２２はフレーム２２２によって該L字型溝２１１内に固定される。また該第二端子２２のピン２２１は該フレーム２４に沿って、外へと伸び、さらに該蓋板２５を該収容空間２４１に入れ、 該蓋板２５のロックブロック２５１が該フレーム２４のロック溝２４２に合致することで、該蓋板２５は該収容空間２４１を充填できる。該ロックブロック２５１とロック溝２４２が互いに合致することによって、該フレーム２４と該蓋板２５の相対する位置を固定する。これによって、組み立てる時にカバー効果を安定させ、該液体のホットメルト接着剤層２６は該フレーム２４と該蓋板２５の間に沿って第一充填溝２５２と該第二充填溝２４３を充填でき、そして該フレーム２４と該蓋板２５の間の隙間を充填すると同時に、該ホットメルト接着剤層２６が該ピン２２１の周囲を封じる。ほかに注目すべきことは、該ピン２２１の周囲は該第一充填溝２５２と該第二充填溝２４３によって囲み凹みが形成されろ。該ホットメルト接着剤層２６は注入する時に該ピン２１１を回る必要がなくてもホットメルト接着剤層２６が自動的に流れて充填できるため、該ホットメルト接着剤層２６は該ピン２２１の周囲に該第一充填溝２５２と第二充填溝２４３の底の深さと同じ厚みに封じられるる。該ホットメルト接着剤層２６は片面の表面を封じるため、加工手順を簡単化でき、封じやすくそして有効防水の実用機能に達する。さらに該底ベース２３に突設された該ブロック体２３３は該フレーム２４と連接するために構造の補強が向上できると同時に、凹むように該ロック溝２４２が形成されやすいことで、該ロック溝２４２は該フレーム２４の厚みに影響されないため、該ロック溝２４２は該フレーム２４を貫通することなく、該ロック溝２４２はほかに密封する必要がなくても防水効果を奏する。また該ブロック体２３３はさらに該めねじスリーブ２３４の収容を提供できるため、該めねじスリーブ２３４と該底ベース２３との安定結合が形成される。それに該めねじスリーブ２３４の締め付けられる長さが有効的に増長でき、該めねじスリーブ２３４はさらに金属材質により作られ、該めねじスリーブ２３４と該ブロック体２３３の組み合わせによって第二連接部材２０が外に向かって締め付ける強度が大幅に向上できる。以上をまとめると、該ブロック体２３３は該ロック溝２４２と該めねじスリーブ２３４の使用を同時に提供できる上、より詳しく説明すると、該第二連接部材２０は該連接ベース２１にパッド２７が設けられ、また該パッド２７は該底ベース２３の接続表面２３１に押さえられるため、該第二連接部材２０の底ベース２３は外向かって取り付ける時に該パッド２７が挟まれて、防水効果が形成される。また該底ベース２３は該接続表面２３１にリング溝２３５が凹設され、また該パッド２７の内縁に突起リング２７１が突設される。また該突起リング２７１が該リング溝２３５内に収容され、また該パッド２７は該突起リング２７１の反対側に押さえリング２７２が突設される。実際に使用する時、図８と図９を合わせて参照されたい。該第一連接部材１０は第一���成部材３０に締め付けられ、また該第一端子１１と該サイドブロック１２２が台石構成部材３０の一端に突設され、該第二連接部材２０は内側より外側に向かって、該めねじスリーブ２３４によって第二構成部材４０に締め付けられることで、該連接ベース２１は該第二構成部材４０の一端に露出され、また該第二連接部材２０は外に向かって第二構成部材４０を取り付ける時は該押さえリング２７２を押さえられるため、該突起リング２７１が拡張されて該リング溝２３５にしっかり接近し、第二構成部材４０と該第二連接部材２０の間の防水効果が向上できる。さらに該第一連接部材１０の第一端子１１を該第二連接部材２０のL字型溝２１１に挿し込むことで、該第二端子２２のクリップ片２２３が該第一端子１１を挟むため、該第一連接部材１０と該第二連接部材２０が電気的に接続される。さらに該密封部座１２は該サイドブロック１２２に合わせて該L字型溝２１１に押さえられることで、該第一構成部材３０と該第二構成部材４０が連接箇所の防水効果が果たせられる。さらに該クリップ片２２３は該フレーム２２２に連接して固定する一端は該L字型溝２１１の開口に近い場所に位置することは、両クリップ片２２３は該L字型溝２１１に近い位置が最大挟み合わせ力の位置になる。該第二端子２２が該第一端子１１の根元位置にしっかり挟むことで、該第一端子１１と第二端子２２が勝手に外れにくい効果がある。
【００２１】
本発明のもう一つの実施例について、引き続き図１０と図１１を参照されたい。該第二連接部材２０はこれらピン２２１の間に位置限定切り込み２３６がそれぞれ凹設され、また該蓋板２５の縁に複数の押さえブロック２５３が突設される。該第一充填溝２５２が該押さえブロック２５３の周縁に跨いで設けられ、また該押さえブロック２５３は全部の限定切り込み２３６に合わせて設けられるため、該ピン２２１を該押さえブロック２５３の間に挟んで設けられ、即ち該ピン２２１が該蓋板２５を封じる該ホットメルト接着剤層２６の同じ表面に穿設される。これによって、組み立てやすく有効的に防水できる効果を奏する。該連接ベース２１は該L字型溝２１１の間にそれぞれ仕切り板２１２が仕切られ、また該仕切り板２１２は該収容空間２４１に伸び、底辺部２１３が形成される。該蓋板２５は該収容空間２４１に向かう一面に収容溝２５４が凹設され、また該収容溝２５４が該押さえブロック２５３まで伸びる。該収容溝２５４に防水パッド２８が設置され、組み立てる時は該防水パッド２８が該仕切り板２１２の該底辺部２１３に直接に押さえられるようにし、さらに該防水パッド２８によって該ピン２２１を囲む。該防水パッド２８と該ホットメルト接着剤層２６によって該ピン２２１のダブル防水効果が形成される。
【００２２】
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【００２３】
[本発明]
１０              第一連接部材
１１              第一端子
１２              密封部材
１２１            穿孔
１２２            サイドブロック
２０              第二連接部材
２１              連接ベース
２１１            L字型溝
２１２            仕切り板
２１３            底辺部
２２              第二端子
２２１            ピン
２２２            フレーム
２２３            クリップ片
２３              底ベース
２３１            接続表面
２３２            組み立て表面
２３３            ブロック体
２３４            めねじスリーブ
２３５            リング溝
２３６            位置限定切り込み
２４              フレーム体
２４１            収容空間
２４２            ロック溝
２４３            第二充填溝
２５              蓋板
２５１            ロックブロック
２５２            第一充填溝
２５３            押さえブロック
２５４            収容溝
２６              ホットメルト接着剤層
２７              パッド
２７１            突起リング
２７２            押さえリング
２８              防水パッド
３０              第一構成部材
４０              第二構成部材
【図１】
2019212597.tif 000003
【図２】
2019212597.tif 000004
【図３】
2019212597.tif 000005
【図４】
2019212597.tif 000006
【図５】
2019212597.tif 000007
【図６】
2019212597.tif 000008
【図７】
2019212597.tif 000009
【図８】
2019212597.tif 000010
【図９】
2019212597.tif 000011
【図１０】
2019212597.tif 000012
【図１１】
2019212597.tif 000013
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
第一連接部材と、第二連接部材とを含むブレード型防水コネクタであって、
前記第一連接部材には、複数の第一端子が設けられ、  
前記第二連接部材には、一端に連接ベースが形成され、前記連接ベースに複数のＬ字型溝が直角状に設けられ、前記Ｌ字型溝内にそれぞれ第二端子が固定され、前記第一端子と該第二端子が互いに接続することで前記第一連接部材と前記第二連接部材が電気的に接続され、また前記第二連接部材は他端に底ベースが形成され、前記底ベースが前記連接ベースに向かう一面に接続表面が形成され、前記底ベースは前記接続表面と反対する一面に組み立て表面が形成され、前記組み立て表面にフレームが突設され、さらに前記フレームが囲むことによって前記Ｌ字型溝に連なる収容空間が形成され、前記フレームは両相対する部分に対称的にロック溝がそれぞれ設けられ、前記第二端子には、前記収容空間に向かってピンが突設され、また前記ピンが前記フレームに接触しながら、前記底ベースより突き出し、前記第二連接部材は前記収容空間に蓋板が入れられ、前記蓋板の両端にそれぞれロックブロックが突設され、且つ前記ロックブロックによって前記ロック溝に合致され、前記ピンを前記フレームと前記蓋板の間に挟んで設けられ、前記蓋板の外周縁内に第一充填溝が凹んで形成され、また前記第一充填溝はホットメルト接着剤層によって隙間が封じられ、同時に前記ホットメルト接着剤層は前記ピンの周囲を封じ、
前記第二連接部材のフレーム内縁に第二充填溝が凹設され、且つ前記第二充填溝は前記第一充填溝に合わせて前記ピンを囲むことで、前記ホットメルト接着剤層は前記ピンの周囲に前記第一充填溝と前記第二充填溝の底の深さを封じることを特徴とするブレード型防水コネクタ。
【請求項２】
前記第二連接部材は、前記ピンの間に位置限定切り込みがそれぞれ凹設され、且つ前記蓋板の縁に複数の押さえブロックが突設され、前記第一充填溝が一つの押さえブロックの側部と、他の押さえブロックの側部とで構成され、前記押さえブロックは全部の限定切り込みに合わせて設けられるため、前記ピンを前記押さえブロックの間に挟んで設けられ、即ち前記ピンが前記蓋板を封じる前記ホットメルト接着剤層の表面に穿設されることを特徴とする請求項１のブレード型防水コネクタ。
【請求項３】
前記連接ベースは、前記Ｌ字型溝の間にそれぞれ仕切り板が仕切られ、且つ前記仕切り板は、前記収容空間に伸び、底辺部が形成され、前記蓋板は前記収容空間に向かう一面に収容溝が凹設され、且つ前記収容溝が前記押さえブロックまで伸び、前記収容溝に防水パッドが設置されることにより、前記防水パッドが前記仕切り板の前記底辺部に押さえられ、前記防水パッドが前記ピンを囲むことを特徴とする請求項２のブレード型防水コネクタ。
【請求項４】
前記底ベースの前記組み立て表面に二つのブロック体が突設され、且つ前記ブロック体が前記フレームと連接して前記フレーム構造の補強になると同時に、凹むように前記ロック溝が形成され、前記ロック溝が前記フレームに貫通しないようにすることを特徴とする請求項１のブレード型防水コネクタ。
【請求項５】
前記底ベースに二つのめねじスリーブが設けられ、且つ前記めねじスリーブの一端が前記底ベースの接続表面に設けられ、前記めねじスリーブの他端は前記ブロック体の内部に延伸されるため、前記ブロック体は前記めねじスリーブと前記底ベースと安定に結合されることを特徴とする請求項４のブレード型防水コネクタ。
【請求項６】
前記第一連接部材に密封部材が結合され、前記密封部材に複数の穿孔が設けられ、前記穿孔より前記第一端子の穿設が提供され、さらに前記密封部材は直角状でサイドブロックが形成され、前記第一端子と前記第二端子が互いに接続する時、前記密封部材は前記サイドブロックに合わせて前記Ｌ字型溝を被覆することを特徴とする請求項１のブレード型防水コネクタ。
【請求項７】
前記第二連接部材は前記連接ベースにパッドが設けられ、且つ前記パッドは前記底ベースの接続表面に押さえられるため、前記第二連接部材の底ベースは外に向かって取り付ける時に前記パッドが挟まれて、防水効果が形成されることを特徴とする請求項１のブレード型防水コネクタ。
【請求項８】
前記第二端子にはフレームが形成され、前記第二端子は前記フレームによって前記Ｌ字型溝に固定され、且つ前記第二端子には、前記フレームより内側に向かって対向する二つのクリップ片が曲げて設けられ、前記クリップ片は前記フレームに連接して固定する一端は前記Ｌ字型溝の開口に近い場所に位置し、前記クリップ片の自由な一端は前記収容空間の近くに位置することによって、両クリップ片が前記第一端子の根元をしっかり挟めることを特徴とする請求項１のブレード型防水コネクタ。